(57)【要約】【課題】コンテンツの視聴者が、一般のユーザが作成した情報を、容易に、コンテンツに関連する情報として利用することができるようにする。【解決手段】コンテンツ関連情報作成装置６からアップロードされたコンテンツ関連情報がコンテンツ関連情報提供サイト管理装置４により管理される。ディジタル放送受信端末２においては、コンテンツの再生中に用いられるコンテンツ関連情報の検索が、コンテンツ関連情報提供サイト管理装置４が管理するコンテンツ関連情報リストに基づいて行われ、コンテンツ関連情報が取得される。コンテンツ関連情報が取得されたとき、コンテンツ関連情報に従って、テキスト、動画などの所定の情報が、対象のコンテンツの再生中に出力される。本発明は、テレビジョン受像機などに適用することができる。【選択図】図１
2007318196.tif 000002
【特許請求の範囲】
【請求項１】
情報提供装置と再生装置を含む情報処理システムにおいて、
前記情報提供装置は、
コンテンツの再生を行う前記再生装置と、コンテンツの関連情報を作成する作成装置にネットワークを介して接続される装置であって、
前記作成装置により作成された関連情報を取得する取得手段と、
関連情報が関連するコンテンツの識別情報を含む、前記取得手段により取得された関連情報のリストを作成する作成手段と、
前記作成手段により作成された前記リストを前記再生装置に送信するとともに、前記リストに含まれる情報に基づいて行われる前記再生装置からの要求に応じて、前記再生装置において処理対象のコンテンツとして選択された所定のコンテンツの関連情報を前記再生装置に送信する送信手段と
を備え、
前記再生装置は、
前記情報提供装置とネットワークを介して接続される装置であって、
前記リストを前記情報提供装置から取得するとともに、前記情報提供装置により取得されていることが前記リストに含まれる前記識別情報に基づいて判断された、処理対象のコンテンツとして選択された前記所定のコンテンツの関連情報を前記情報提供装置から取得する取得手段と、
前記所定のコンテンツの再生中、前記取得手段により取得された前記関連情報に含まれる情報に従って、前記作成装置のユーザにより指定された所定の情報を出力する出力手段と
を備える情報処理システム。
【請求項２】
コンテンツの再生を行う再生装置と、コンテンツの関連情報を作成する作成装置にネットワークを介して接続される情報提供装置において、
前記作成装置により作成された関連情報を取得する取得手段と、
関連情報が関連するコンテンツの識別情報を含む、前記取得手段により取得された関連情報のリストを作成する作成手段と、
前記作成手段により作成された前記リストを前記再生装置に送信するとともに、前記リストに含まれる情報に基づいて行われる前記再生装置からの要求に応じて、前記再生装置において処理対象のコンテンツとして選択された所定のコンテンツの関連情報を前記再生装置に送信する送信手段と
を備える情報提供装置。
【請求項３】
コンテンツの再生を行う再生装置と、コンテンツの関連情報を作成する作成装置にネットワークを介して接続される情報提供装置の情報提供方法において、
前記作成装置により作成された関連情報を取得し、
関連情報が関連するコンテンツの識別情報を含む、取得した関連情報のリストを作成し、
作成した前記リストを前記再生装置に送信するとともに、前記リストに含まれる情報に基づいて行われる前記再生装置からの要求に応じて、前記再生装置において処理対象のコンテンツとして選択された所定のコンテンツの関連情報を前記再生装置に送信する
ステップを含む情報提供方法。
【請求項４】
コンテンツの再生を行う再生装置と、コンテンツの関連情報を作成する作成装置にネットワークを介して接続される情報提供装置の情報提供処理をコンピュータに実行させるプログラムにおいて、
前記作成装置により作成された関連情報を取得し、
関連情報が関連するコンテンツの識別情報を含む、取得した関連情報のリストを作成し、
作成した前記リストを前記再生装置に送信するとともに、前記リストに含まれる情報に基づいて行われる前記再生装置からの要求に応じて、前記再生装置において処理対象のコンテンツとして選択された所定のコンテンツの関連情報を前記再生装置に送信する
ステップを含むプログラム。
【請求項５】
コンテンツの関連情報を作成する作成装置から関連情報を取得し、取得した関連情報が関連するコンテンツの識別情報を含む、関連情報のリストを作成して管理する情報提供装置とネットワークを介して接続される再生装置において、
前記リストを前記情報提供装置から取得するとともに、前記情報提供装置により取得されていることが前記リストに含まれる前記識別情報に基づいて判断された、処理対象のコンテンツとして選択された所定のコンテンツの関連情報を前記情報提供装置から取得する取得手段と、
前記所定のコンテンツの再生中、前記取得手段により取得された関連情報に含まれる情報に従って、前記作成装置のユーザにより指定された所定の情報を出力する出力手段と
を備える再生装置。
【請求項６】
前記所定の情報の出力タイミングを指定する情報が前記取得手段により取得された関連情報に含まれている場合、
前記出力手段は、前記所定のコンテンツの再生中、前記取得手段により取得された関連情報に含まれる情報により指定される出力タイミングで、前記所定の情報を出力する
請求項５に記載の再生装置。
【請求項７】
前記出力手段は、前記取得手段により取得された関連情報の一覧を表示し、一覧の中からユーザにより選択された関連情報に含まれる情報に従って、前記所定の情報を出力する
請求項５に記載の再生装置。
【請求項８】
前記リストに関連情報の内容を表す要約がさらに含まれている場合、
前記出力手段は、前記取得手段により取得された関連情報の一覧に、それぞれの関連情報の要約を表示する
請求項７に記載の再生装置。
【請求項９】
コンテンツの関連情報を作成する作成装置から関連情報を取得し、取得した関連情報が関連するコンテンツの識別情報を含む、関連情報のリストを作成して管理する情報提供装置とネットワークを介して接続される再生装置の情報処理方法において、
前記リストを前記情報提供装置から取得するとともに、前記情報提供装置により取得されていることが前記リストに含まれる前記識別情報に基づいて判断された、処理対象のコンテンツとして選択された所定のコンテンツの関連情報を前記情報提供装置から取得し、
前記所定のコンテンツの再生中、取得した関連情報に含まれる情報に従って、前記作成装置のユーザにより指定された所定の情報を出力する
ステップを含む情報処理方法。
【請求項１０】
コンテンツの関連情報を作成する作成装置から関連情報を取得し、取得した関連情報が関連するコンテンツの識別情報を含む、関連情報のリストを作成して管理する情報提供装置とネットワークを介して接続される再生装置の情報処理をコンピュータに実行させるプログラムにおいて、
前記リストを前記情報提供装置から取得するとともに、前記情報提供装置により取得されていることが前記リストに含まれる前記識別情報に基づいて判断された、処理対象のコンテンツとして選択された所定のコンテンツの関連情報を前記情報提供装置から取得し、
前記所定のコンテンツの再生中、取得した関連情報に含まれる情報に従って、前記作成装置のユーザにより指定された所定の情報を出力する
ステップを含むプログラム。
【発明の詳細な説明】
【技術分野】
【０００１】
本発明は、情報処理システム、情報提供装置、情報提供方法、再生装置、情報処理方法、およびプログラムに関し、特に、コンテンツの再生時に出力されるコンテンツに関連する情報として、例えば一般のユーザが作成した情報を、容易に、コンテンツの視聴者が利用することができるようにした情報処理システム、情報提供装置、情報提供方法、再生装置、情報処理方法、およびプログラムに関する。
【背景技術】
【０００２】
現在、ディジタル放送においては、一般的に、テレビジョン番組に関連する情報はデータ放送という手段によってテレビジョン番組の視聴者に提供されている。
【０００３】
特許文献１には、コンテンツに関連する情報自体は送信せずに、Webサイトへのアクセスに用いられるURL(Uniform Resource Locator)だけを送信し、受信端末のユーザが好みのURLを選択することができるようにすることで、コンテンツに関連する情報として、ユーザ毎に、別々の情報を提供することができるようにしたシステムが開示されている。すなわち、このシステムにおいては、インターネットなどを用いた通信という手段によって、コンテンツに関連する情報の提供が行われている。
【０００４】
特許文献２には、字幕のデータをネットワークを介してダウンロードすることができるようにしたシステムが開示されている。
【特許文献１】特開２００５−２６８６７号公報
【特許文献２】特開２００５−２１７８１６号公報
【発明の開示】
【発明が解決しようとする課題】
【０００５】
上述したデータ放送による情報の提供においては、第１に、すべての視聴者に対して同じ情報を提供することしかできない、第２に、情報の提供者は、放送局などのコンテンツの提供側の者に限られる、という問題がある。
【０００６】
特許文献１に開示されているシステムにおいても、コンテンツに関連する情報として用意されるWebサイトはコンテンツの提供者が運営しているものなどであり、第２の問題点の解決には至っていない。
【０００７】
また、特許文献１に開示されているシステムのように、Webブラウザ機能を搭載した受信装置によって、データ放送によって提供される情報だけでなく、インターネットなどを介して提供される情報を視聴者が利用することができるシステムも提案されているが、そのようなシステムにおいては、通常、コンテンツに関連する情報の検索は視聴者が自ら行う必要があり、容易に、かつ適切に情報の提示を実現するという点では不十分である。
【０００８】
例えば、キーワードを入力するなどの操作を行って情報を検索する必要があるのでは、視聴者が情報の提示を容易に受けることができるとはいえない。また、ドラマなどのテレビジョン番組を視聴しようとしたときに、検索結果として見つかったそのドラマの情報が、ドラマの結末について掲載しているような情報であった場合、その情報の提示は適切に行われたとはいえない。
【０００９】
コンテンツに関連する情報として映画の字幕を考えた場合、字幕は、それを作成した翻訳者の経験や感性によってまったく異なる内容になり、映画全体に与える影響も大きいことから、映画を視聴するときに、複数種類の字幕の中から自分の好みの翻訳者の字幕を選択したいというニーズは高いと考えられる。字幕のデータをダウンロードすることについても、視聴者が容易に行うことができることが好ましい。
【００１０】
本発明はこのような状況に鑑みてなされたものであり、例えば、一般のユーザが作成した情報を、容易に、コンテンツに関連する情報としてコンテンツの視聴者が利用することができるようにするものである。
【課題を解決するための手段】
【００１１】
本発明の第１の側面の情報処理システムは、情報提供装置と再生装置を含む情報処理システムにおいて、前記情報提供装置は、コンテンツの再生を行う前記再生装置と、コンテンツの関連情報を作成する作成装置にネットワークを介して接続される装置であって、前記作成装置により作成された関連情報を取得する取得手段と、関連情報が関連するコンテンツの識別情報を含む、前記取得手段により取得された関連情報のリストを作成する作成手段と、前記作成手段により作成された前記リストを前記再生装置に送信するとともに、前記リストに含まれる情報に基づいて行われる前記再生装置からの要求に応じて、前記再生装置において処理対象のコンテンツとして選択された所定のコンテンツの関連情報を前記再生装置に送信する送信手段とを備える。
【００１２】
また、前記再生装置は、前記情報提供装置とネットワークを介して接続される装置であって、前記リストを前記情報提供装置から取得するとともに、前記情報提供装置により取得されていることが前記リストに含まれる前記識別情報に基づいて判断された、処理対象のコンテンツとして選択された前記所定のコンテンツの関連情報を前記情報提供装置から取得する取得手段と、前記所定のコンテンツの再生中、前記取得手段により取得された前記関連情報に含まれる情報に従って、前記作成装置のユーザにより指定された所定の情報を出力する出力手段とを備える。
【００１３】
本発明の第２の側面の情報提供装置は、コンテンツの再生を行う再生装置と、コンテンツの関連情報を作成する作成装置にネットワークを介して接続される情報提供装置において、前記作成装置により作成された関連情報を取得する取得手段と、関連情報が関連するコンテンツの識別情報を含む、前記取得手段により取得された関連情報のリストを作成する作成手段と、前記作成手段により作成された前記リストを前記再生装置に送信するとともに、前記リストに含まれる情報に基づいて行われる前記再生装置からの要求に応じて、前記再生装置において処理対象のコンテンツとして選択された所定のコンテンツの関連情報を前記再生装置に送信する送信手段とを備える。
【００１４】
本発明の第２の側面の情報提供方法またはプログラムは、作成装置により作成された関連情報を取得し、関連情報が関連するコンテンツの識別情報を含む、取得した関連情報のリストを作成し、作成した前記リストを再生装置に送信するとともに、前記リストに含まれる情報に基づいて行われる前記再生装置からの要求に応じて、前記再生装置において処理対象のコンテンツとして選択された所定のコンテンツの関連情報を前記再生装置に送信するステップを含む。
【００１５】
本発明の第３の側面の再生装置は、コンテンツの関連情報を作成する作成装置から関連情報を取得し、取得した関連情報が関連するコンテンツの識別情報を含む、関連情報のリストを作成して管理する情報提供装置とネットワークを介して接続される再生装置において、前記リストを前記情報提供装置から取得するとともに、前記情報提供装置により取得されていることが前記リストに含まれる前記識別情報に基づいて判断された、処理対象のコンテンツとして選択された所定のコンテンツの関連情報を前記情報提供装置から取得する取得手段と、前記所定のコンテンツの再生中、前記取得手段により取得された関連情報に含まれる情報に従って、前記作成装置のユーザにより指定された所定の情報を出力する出力手段とを備える。
【００１６】
前記所定の情報の出力タイミングを指定する情報が前記取得手段により取得された関連情報に含まれている場合、前記出力手段には、前記所定のコンテンツの再生中、前記取得手段により取得された関連情報に含まれる情報により指定される出力タイミングで、前記所定の情報を出力させることができる。
【００１７】
前記出力手段には、前記取得手段により取得された関連情報の一覧を表示させ、一覧の中からユーザにより選択された関連情報に含まれる情報に従って、前記所定の情報を出力させることができる。
【００１８】
前記リストに関連情報の内容を表す要約がさらに含まれている場合、前記出力手段には、前記取得手段により取得された関連情報の一覧に、それぞれの関連情報の要約を表示させることができる。
【００１９】
本発明の第３の側面の情報処理方法またはプログラムは、リストを情報提供装置から取得するとともに、前記情報提供装置により取得されていることが前記リストに含まれる識別情報に基づいて判断された、処理対象のコンテンツとして選択された所定のコンテンツの関連情報を前記情報提供装置から取得し、前記所定のコンテンツの再生中、取得した関連情報に含まれる情報に従って、作成装置のユーザにより指定された所定の情報を出力するステップを含む。
【００２０】
本発明の第１の側面の情報処理システムの情報提供装置においては、作成装置により作成された関連情報が取得され、関連情報が関連するコンテンツの識別情報を含む、取得された関連情報のリストが作成される。また、作成された前記リストが再生装置に送信されるとともに、前記リストに含まれる情報に基づいて行われる前記再生装置からの要求に応じて、前記再生装置において処理対象のコンテンツとして選択された所定のコンテンツの関連情報が前記再生装置に送信される。
【００２１】
一方、再生装置においては、前記リストが前記情報提供装置から取得されるとともに、前記情報提供装置により取得されていることが前記リストに含まれる前記識別情報に基づいて判断された、処理対象のコンテンツとして選択された前記所定のコンテンツの関連情報が前記情報提供装置から取得される。また、前記所定のコンテンツの再生中、前記取得手段により取得された前記関連情報に含まれる情報に従って、前記作成装置のユーザにより指定された所定の情報が出力される。
【００２２】
本発明の第２の側面においては、作成装置により作成された関連情報が取得され、関連情報が関連するコンテンツの識別情報を含む、取得された関連情報のリストが作成される。また、作成された前記リストが再生装置に送信されるとともに、前記リストに含まれる情報に基づいて行われる前記再生装置からの要求に応じて、前記再生装置において処理対象のコンテンツとして選択された所定のコンテンツの関連情報が前記再生装置に送信される。
【００２３】
本発明の第３の側面においては、リストが情報提供装置から取得されるとともに、前記情報提供装置により取得されていることが前記リストに含まれる識別情報に基づいて判断された、処理対象のコンテンツとして選択された所定のコンテンツの関連情報が前記情報提供装置から取得される。また、前記所定のコンテンツの再生中、取得された関連情報に含まれる情報に従って、作成装置のユーザにより指定された所定の情報が出力される。
【発明の効果】
【００２４】
本発明によれば、コンテンツの視聴者は、例えば、一般のユーザが作成した情報を、容易に、コンテンツに関連する情報として利用することができる。
【発明を実施するための最良の形態】
【００２５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００２６】
本発明の第１の側面の情報処理システム（例えば、図１の検索／取得／再生システム）は、基本的に、本発明の第２の側面の情報提供装置（例えば、図１のコンテンツ関連情報提供サイト管理装置４）の構成と、本発明の第３の側面の再生装置（例えば、図１のディジタル放送受信端末２）の構成を備える。それぞれの構成と実施の形態との対応関係は以下のようになる。
【００２７】
本発明の第２の側面の情報提供装置（例えば、図１のコンテンツ関連情報提供サイト管理装置４）は、コンテンツの再生を行う再生装置（例えば、図１のディジタル放送受信端末２）と、コンテンツの関連情報を作成する作成装置（例えば、図１のコンテンツ関連情報作成装置６）にネットワークを介して接続される情報提供装置において、前記作成装置により作成された関連情報を取得する取得手段（例えば、図３のコンテンツ関連情報取得部２１）と、関連情報が関連するコンテンツの識別情報を含む、前記取得手段により取得された関連情報のリストを作成する作成手段（例えば、図３のリスト作成部２２）と、前記作成手段により作成された前記リストを前記再生装置に送信するとともに、前記リストに含まれる情報に基づいて行われる前記再生装置からの要求に応じて、前記再生装置において処理対象のコンテンツとして選択された所定のコンテンツの関連情報を前記再生装置に送信する送信手段（例えば、図３のリスト管理部２３）とを備える。
【００２８】
本発明の第２の側面の情報提供方法またはプログラムは、作成装置により作成された関連情報を取得し、関連情報が関連するコンテンツの識別情報を含む、取得した関連情報のリストを作成し、作成した前記リストを再生装置に送信するとともに、前記リストに含まれる情報に基づいて行われる前記再生装置からの要求に応じて、前記再生装置において処理対象のコンテンツとして選択された所定のコンテンツの関連情報を前記再生装置に送信するステップ（例えば、図８のステップＳ１２）を含む。
【００２９】
本発明の第３の側面の再生装置（例えば、図１のディジタル放送受信端末２）は、コンテンツの関連情報を作成する作成装置から関連情報を取得し、取得した関連情報が関連するコンテンツの識別情報を含む、関連情報のリストを作成して管理する情報提供装置（例えば、図１のコンテンツ関連情報提供サイト管理装置４）とネットワークを介して接続される再生装置において、前記リストを前記情報提供装置から取得するとともに、前記情報提供装置により取得されていることが前記リストに含まれる前記識別情報に基づいて判断された、処理対象のコンテンツとして選択された所定のコンテンツの関連情報を前記情報提供装置から取得する取得手段（例えば、図２のコンテンツ関連情報検索・取得部１４）と、前記所定のコンテンツの再生中、前記取得手段により取得された関連情報に含まれる情報に従って、前記作成装置のユーザにより指定された所定の情報を出力する出力手段（例えば、図２の出力制御部１５）とを備える。
【００３０】
本発明の第３の側面の情報処理方法またはプログラムは、リストを情報提供装置から取得するとともに、前記情報提供装置により取得されていることが前記リストに含まれる識別情報に基づいて判断された、処理対象のコンテンツとして選択された所定のコンテンツの関連情報を前記情報提供装置から取得し、前記所定のコンテンツの再生中、取得した関連情報に含まれる情報に従って、作成装置のユーザにより指定された所定の情報を出力するステップ（例えば、図１１のステップＳ６６）を含む。
【００３１】
以下、本発明の実施の形態について図を参照して説明する。
【００３２】
図１は、本発明の一実施形態に係る、コンテンツ関連情報の検索／取得／再生システムの構成例を示す図である。
【００３３】
図１に示されるように、このシステムは、コンテンツ提供装置１、ディジタル放送受信端末２、コンテンツ関連情報提供サイト管理装置４、およびコンテンツ関連情報作成装置６から構成される。ディジタル放送受信端末２とコンテンツ関連情報提供サイト管理装置４は通信回線３を介して相互に接続され、コンテンツ関連情報提供サイト管理装置４とコンテンツ関連情報作成装置６は通信回線５を介して相互に接続される。
【００３４】
コンテンツ提供装置１は、例えば放送局などに用意される装置であり、コンテンツ提供者により管理される。コンテンツ提供装置１は、地上ディジタル放送、BS(Broadcasting Satellite)／CS(Communications Satellite)ディジタル放送によって、テレビジョン番組などのコンテンツを提供する。
【００３５】
ディジタル放送受信端末２は例えばテレビジョン受像機や録画機器などの装置であり、放送波を受信することによって、コンテンツ提供者により提供されるコンテンツを取得し、ユーザである視聴者（コンテンツ視聴者）にコンテンツを提示する機能を有する。
【００３６】
また、ディジタル放送受信端末２は、通信回線３を介してコンテンツ関連情報提供サイト管理装置４にアクセスすることによって、処理対象のコンテンツに関連する情報であるコンテンツ関連情報を検索、取得し、取得したコンテンツ関連情報に含まれる情報に従って、テキスト、動画、音声などの所定の情報を、対象のコンテンツの再生中に出力する機能を有する。
【００３７】
後に詳述するように、コンテンツ関連情報には、コンテンツの再生中に出力される情報を特定する情報の他に、その出力タイミングを表す情報などが含まれる。
【００３８】
このようにしてコンテンツの再生中に用いられるコンテンツ関連情報の検索と取得は、コンテンツ関連情報提供サイト管理装置４が管理するコンテンツ関連情報リストに基づいて、視聴者による操作によらずにディジタル放送受信端末２により所定のタイミングで行われる。コンテンツ関連情報リストには、コンテンツ関連情報提供サイト管理装置４が管理する全てのコンテンツ関連情報について、関連するコンテンツのタイトルや、コンテンツ関連情報の格納場所を表すURL(Uniform Resource Locator)などが含まれている。
【００３９】
コンテンツ関連情報提供サイト管理装置４は、コンテンツ関連情報提供サイトを管理し、コンテンツ関連情報リストを通信回線３を介してディジタル放送受信端末２に提供するとともに、コンテンツ関連情報リストに含まれる情報に基づいてディジタル放送受信端末２により行われる要求に応じて、コンテンツ関連情報をディジタル放送受信端末２に提供する。
【００４０】
また、コンテンツ関連情報提供サイト管理装置４は、コンテンツ関連情報作成装置６から通信回線５を介してアップロードされたコンテンツ関連情報を取得し、取得したコンテンツ関連情報を内蔵のハードディスクなどの所定の格納場所に格納して管理する。すなわち、コンテンツ関連情報提供サイト管理装置４からディジタル放送受信端末２に提供されるコンテンツ関連情報は、コンテンツ関連情報作成装置６により作成されたものである。
【００４１】
コンテンツ関連情報作成装置６はパーソナルコンピュータなどよりなり、ユーザであるコンテンツ関連情報作成者による操作に従って、所定のフォーマットのコンテンツ関連情報を作成する。コンテンツ関連情報作成者は例えばコンテンツ提供者とは関係のない一般のユーザであり、あるテレビジョン番組の放送に先だってコンテンツ提供者から提供される番組情報を参考にするなどしてコンテンツ関連情報を作成する。
【００４２】
コンテンツ関連情報作成装置６は、作成したコンテンツ関連情報を所定のタイミングでコンテンツ関連情報提供サイト管理装置４にアップロードする。
【００４３】
図１の例においては、コンテンツ関連情報作成装置６が１つだけ示されているが、同様の機能を有する装置が通信回線５に複数接続され、それぞれの装置のユーザにより作成されたコンテンツ関連情報がコンテンツ関連情報提供サイト管理装置４にアップロードされるようにしてもよい。コンテンツ関連情報提供サイト管理装置４には、それぞれのコンテンツについて複数のコンテンツ関連情報が用意されたりすることになる。
【００４４】
例えば、複数のユーザが、ある同じ映画の字幕を作成し、そのデータを含むコンテンツ関連情報をコンテンツ関連情報提供サイト管理装置４にアップロードしている場合、視聴者は、その映画が放送されるときに、ディジタル放送受信端末２の検索結果から好みの字幕を選択することができる。視聴者により選択された字幕は、コンテンツ提供者から番組の情報として提供された字幕に替えて、映画の映像にあわせて表示される。
【００４５】
また、あるテレビジョン番組に関するコメントが作成され、そのデータを含むコンテンツ関連情報がコンテンツ関連情報提供サイト管理装置４にアップロードされている場合、視聴者は、そのテレビジョン番組の再生中にコメントを見たりすることができる。
【００４６】
このように、図１のシステムにおいては、テレビジョン番組などを視聴しているときにそれに関連する情報として視聴者に提示される情報を、コンテンツの提供者とは関係のない一般のユーザが用意することができる。
【００４７】
また、提示される情報を含むコンテンツ関連情報の検索や取得がディジタル放送受信端末２により自動的に行われるから、視聴者は、コンテンツ関連情報を検索する操作などを自ら行う必要がない。コンテンツ関連情報の検索や取得がディジタル放送受信端末２により自動的に行われないとした場合、視聴者は、コンテンツ関連情報提供サイト管理装置４が管理するWebサイトの画面を表示させ、視聴するコンテンツのキーワードを入力するなどして検索を行う必要があるが、そのような手間を省くことができる。
【００４８】
図１のディジタル放送受信端末２とコンテンツ関連情報提供サイト管理装置４により行われる一連の動作についてはフローチャートを参照して後述する。
【００４９】
図２は、ディジタル放送受信端末２の機能構成例を示すブロック図である。図２に示す機能部のうちの少なくとも一部は、ディジタル放送受信端末２に設けられるCPU(Central Processing Unit)により所定のプログラムが実行されることによって実現される。
【００５０】
図２に示されるように、ディジタル放送受信端末２においては、ディジタル放送受信部１２、タイトル情報作成部１３、コンテンツ関連情報検索・取得部１４、出力制御部１５、および操作部１６が実現される。ディジタル放送受信端末２には、放送波を受信するアンテナ１１からの信号が供給されるようになされている。
【００５１】
ディジタル放送受信部１２は、アンテナ１１から供給されるRF信号に対して所定の処理を施し、視聴者により選択されたコンテンツの映像、音声のデータを出力制御部１５に出力する。また、ディジタル放送受信部１２は、視聴者により選択されたコンテンツの番組情報を含むPSI(Program Specific Information)／SI(Service Information)をタイトル情報作成部１３に出力する。
【００５２】
タイトル情報作成部１３は、ディジタル放送受信部１２から供給されたPSI／SIからタイトル情報を生成し、生成したタイトル情報をコンテンツ関連情報検索・取得部１４に出力する。タイトル情報には、視聴者により選択されたコンテンツのタイトルや、コンテンツのキーワードが含まれる。例えば、テレビジョン番組のジャンルを表す単語、テレビジョン番組の出演者の名前、テレビジョン番組の概要から選択された単語などが、コンテンツのキーワードとして選択され、タイトル情報に含められる。PSI／SIには、番組に関するそれらの情報が含まれている。
【００５３】
コンテンツ関連情報検索・取得部１４は、あらかじめ与えられているURLに基づいてコンテンツ関連情報提供サイト管理装置４が管理するコンテンツ関連情報提供サイトにアクセスし、コンテンツ関連情報リストを取得する。
【００５４】
コンテンツ関連情報リストの取得は、タイトル情報作成部１３からタイトル情報が供給される毎に行われるようにしてもよいし、所定の間隔で周期的に行われるようにしてもよい。また、コンテンツ関連情報リストの内容に更新があったことがコンテンツ関連情報提供サイト管理装置４から通知されたときに行われるようにしてもよい。
【００５５】
また、コンテンツ関連情報検索・取得部１４は、コンテンツ関連情報リストとタイトル情報作成部１３から供給されたタイトル情報に基づいて、視聴者により選択されたコンテンツのものとしてコンテンツ関連情報提供サイト管理装置４が管理しているコンテンツ関連情報を検索する。
【００５６】
例えば、タイトル情報作成部１３から供給されたタイトル情報に含まれるタイトルと同じタイトルがコンテンツ関連情報に関する情報としてコンテンツ関連情報リストに記述されているコンテンツ関連情報や、タイトル情報に含まれるキーワードと同じキーワードがコンテンツ関連情報に関する情報としてコンテンツ関連情報リストに記述されているコンテンツ関連情報が検索される。
【００５７】
コンテンツ関連情報検索・取得部１４は、検索されたコンテンツ関連情報を、コンテンツ関連情報リストに記述されているそのコンテンツ関連情報の格納場所を表すURLなどの情報に基づいてコンテンツ関連情報提供サイト管理装置４から取得し、取得したコンテンツ関連情報を出力制御部１５に出力する。
【００５８】
出力制御部１５は、ディジタル放送受信部１２から供給されたデータを再生し、コンテンツの映像をLCD(Liquid Crystal Display)などよりなる図示せぬディスプレイに表示させ、音声を図示せぬスピーカから出力させる。
【００５９】
また、出力制御部１５は、コンテンツの再生中、コンテンツ関連情報検索・取得部１４から供給されたコンテンツ関連情報に基づいて、コンテンツ関連情報により特定されるテキスト、動画、Webサイトの画面などを、ディスプレイの所定の位置に、所定のタイミングで表示させる。コンテンツ関連情報により特定される情報が音声である場合、出力制御部１５は、コンテンツの再生中、コンテンツ関連情報検索・取得部１４から供給されたコンテンツ関連情報に基づいて、その音声をスピーカから出力させる。
【００６０】
操作部１６は、ディジタル放送受信端末２の筐体表面に設けられるボタンに対する視聴者の操作や、リモートコントローラを用いて行われる視聴者の操作を受け付け、受け付けた操作の内容を表す情報を出力制御部１５に出力する。
【００６１】
図３は、コンテンツ関連情報提供サイト管理装置４の機能構成例を示すブロック図である。図３に示す機能部のうちの少なくとも一部は、コンテンツ関連情報提供サイト管理装置４に設けられるCPUにより所定のプログラムが実行されることによって実現される。
【００６２】
図３に示されるように、コンテンツ関連情報提供サイト管理装置４においては、コンテンツ関連情報取得部２１、リスト作成部２２、リスト管理部２３、およびコンテンツ関連情報管理部２４が実現される。
【００６３】
コンテンツ関連情報取得部２１は、コンテンツ関連情報作成装置６により作成され、通信回線５を介してアップロードされたコンテンツ関連情報を取得し、取得したコンテンツ関連情報をリスト作成部２２とコンテンツ関連情報管理部２４に出力する。
【００６４】
リスト作成部２２は、コンテンツ関連情報取得部２１から供給されたコンテンツ関連情報と、コンテンツ関連情報管理部２４から供給されたコンテンツ関連情報の格納場所を表すURLに基づいてコンテンツ関連情報リストを作成し、作成したコンテンツ関連情報リストをリスト管理部２３に管理させる。
【００６５】
リスト管理部２３は、リスト作成部２２により作成されたコンテンツ関連情報リストを管理し、管理するコンテンツ関連情報リストを、所定のタイミングで通信回線３を介してディジタル放送受信端末２に提供する。
【００６６】
コンテンツ関連情報管理部２４は、コンテンツ関連情報取得部２１から供給されたコンテンツ関連情報を所定の格納場所に格納し、格納場所を表すURLをリスト作成部２２に出力する。また、コンテンツ関連情報管理部２４は、コンテンツ関連情報リストに記述されているURLに基づいて行われるディジタル放送受信端末２からの要求に応じて、要求されたコンテンツ関連情報をディジタル放送受信端末２に提供する。
【００６７】
図４は、コンテンツ関連情報リストとコンテンツ関連情報の関係を示す図である。
【００６８】
図４に示されるように、コンテンツ関連情報提供サイト管理装置４においては、コンテンツ関連情報提供サイト管理装置４が管理する全てのコンテンツ関連情報に関する情報が記述されたコンテンツ関連情報リストが用意されており、コンテンツ関連情報リストを参照するだけで、コンテンツ関連情報提供サイト管理装置４が管理する全てのコンテンツ関連情報の格納場所などをディジタル放送受信端末２が知ることができるようになされている。図４の例においては、コンテンツ関連情報１乃至Ｎに関する情報がコンテンツ関連情報リストに記述されている。
【００６９】
図５は、コンテンツ関連情報リストのデータ構造の例を示す図である。
【００７０】
図５に示されるように、コンテンツ関連情報リストは、それぞれのコンテンツ関連情報に関する情報であるコンテンツ関連情報リストアイテムから構成される。
【００７１】
１つのコンテンツ関連情報リストアイテムは、コンテンツ関連情報が関連するコンテンツのタイトル、コンテンツのジャンルなどの例えば複数のキーワード、コンテンツ関連情報の格納場所を表すURL、および、コンテンツ関連情報の要約から構成される。以下、適宜、コンテンツ関連情報リストアイテムを単にリストアイテムという。
【００７２】
リストアイテムを構成するタイトル、キーワード、要約は、コンテンツ関連情報提供サイト管理装置４の管理者による操作などに応じてリスト作成部２２により用意されるようにしてもよいし、コンテンツ関連情報作成者自身により用意されるようにしてもよい。後者の場合、コンテンツ関連情報のアップロードのときに、タイトル、キーワード、要約がコンテンツ関連情報作成装置６からコンテンツ関連情報提供サイト管理装置４に送信され、リスト作成部２２によりコンテンツ関連情報リストに記述される。
【００７３】
このような構成からなるコンテンツ関連情報リストがリスト作成部２２により作成され、リスト管理部２３からディジタル放送受信端末２に提供される。ディジタル放送受信端末２においては、コンテンツ関連情報リストを構成するリストアイテムに含まれるタイトル、キーワードを用いたマッチングなどがコンテンツ関連情報の検索として行われ、処理対象のコンテンツのタイトルと同じタイトルを含むリストアイテムがあったとき、または、処理対象のコンテンツのキーワードと同じキーワードを含むリストアイテムがあったとき、そのリストアイテムに記述されているURLにより特定される格納場所に格納されているコンテンツ関連情報が、コンテンツ関連情報提供サイト管理装置４から取得される。
【００７４】
図６は、コンテンツ関連情報のデータ構造の例を示す図である。
【００７５】
図６に示されるように、コンテンツ関連情報は、複数のコンテンツ関連情報アイテムの集合であり、それぞれのコンテンツ関連情報アイテムは、表示時間、表示位置、表示サイズ、コンテンツ関連情報の種類、データからなる。
【００７６】
表示時間は、コンテンツの再生中に出力する情報がテキスト、動画、Webサイトの画面である場合、それらの情報の表示を開始する時刻、表示を終了する時刻、および表示を継続する期間を表す。一方、コンテンツの再生中に出力する情報が音声である場合、表示時間は、音声の出力を開始する時刻、出力を終了する時刻、および出力を継続する期間を表す。
【００７７】
表示位置は、コンテンツの再生中に出力する情報がテキスト、動画、Webサイトの画面である場合、ディスプレイの所定の位置を基準とした、それらの情報の表示位置を表す。
【００７８】
表示サイズは、コンテンツの再生中に出力する情報がテキスト、動画、Webサイトの画面である場合、それらの情報の表示サイズを表す。
【００７９】
種類は、コンテンツ再生中の情報の出力に用いられるデータの種類を表す。例えば、Webサイト（HTML(Hyper Text Markup Language)ファイル）、テキストデータ、動画ファイル、音声ファイル、実行ファイルなどが表される。
【００８０】
データは、コンテンツ再生中の情報の出力に用いられるデータそのものなどの各種の情報を表す。例えば、コンテンツの再生中に出力する情報がテキストである場合、その表示に用いられるテキストデータが「データ」としてそのまま記述される。一方、コンテンツの再生中に出力する情報がWebサイトの画面である場合、画面を表示するWebサイトのURLが「データ」として記述される。また、コンテンツの再生中に出力する情報が動画、音声、実行ファイルの実行結果などである場合、それらの出力に用いられるファイルを提供しているWebサイトのURLが「データ」として記述される。
【００８１】
このようなデータ構造を有するコンテンツ関連情報が、コンテンツ関連情報作成者により作成され、コンテンツ関連情報提供サイト管理装置４により管理される。
【００８２】
ここで、以上のような構成を有するディジタル放送受信端末２とコンテンツ関連情報提供サイト管理装置４の動作についてフローチャートを参照して説明する。
【００８３】
はじめに、図７のフローチャートを参照して、コンテンツ関連情報リストを作成するコンテンツ関連情報提供サイト管理装置４の処理について説明する。
【００８４】
ステップＳ１において、コンテンツ関連情報提供サイト管理装置４のコンテンツ関連情報取得部２１は、コンテンツ関連情報作成装置６からアップロードされたコンテンツ関連情報を取得する。コンテンツ関連情報取得部２１は、取得したコンテンツ関連情報をリスト作成部２２とコンテンツ関連情報管理部２４に出力する。
【００８５】
例えば、コンテンツ関連情報とともに、そのコンテンツ関連情報が関連するコンテンツのタイトル、キーワード、コンテンツ関連情報の要約がコンテンツ関連情報作成装置６から送信されてきている場合、コンテンツ関連情報取得部２１においては、それらの情報も取得される。取得されたタイトル、キーワード、要約などの情報はリスト作成部２２に出力される。
【００８６】
ステップＳ２において、コンテンツ関連情報管理部２４は、コンテンツ関連情報取得部２１から供給されたコンテンツ関連情報を格納し、格納場所を表すURLをリスト作成部２２に出力する。
【００８７】
ステップＳ３において、リスト作成部２２は、コンテンツ関連情報取得部２１から供給された情報と、コンテンツ関連情報管理部２４から供給されたコンテンツ関連情報の格納場所を表すURLに基づいて、リスト管理部２３が管理するコンテンツ関連情報リストにリストアイテムを登録し、処理を終了させる。
【００８８】
以上の処理が例えばコンテンツ関連情報作成装置６からコンテンツ関連情報がアップロードされる毎に繰り返されることにより、図５に示されるように、複数のリストアイテムからなるコンテンツ関連情報リストが生成され、リスト管理部２３により管理される。
【００８９】
次に、図８のフローチャートを参照して、コンテンツ関連情報リストとコンテンツ関連情報を提供するコンテンツ関連情報提供サイト管理装置４の処理について説明する。
【００９０】
この処理は、ディジタル放送受信端末２によりアクセスが行われたときに開始される。ディジタル放送受信端末２によるアクセスは、例えば、所定の周期で、あるいは、視聴するコンテンツなどの、処理対象のコンテンツが視聴者により選択されたときに行われる。
【００９１】
ステップＳ１１において、リスト管理部２３は、コンテンツ関連情報リストをディジタル放送受信端末２に送信し、提供する。
【００９２】
ステップＳ１２において、コンテンツ関連情報管理部２４は、ディジタル放送受信端末２において処理対象とされたコンテンツのものとして管理しているコンテンツ関連情報を格納場所から読み出してディジタル放送受信端末２に送信し、提供する。
【００９３】
ディジタル放送受信端末２においては、ステップＳ１１で提供されたコンテンツ関連情報リストに基づいてコンテンツ関連情報の検索が行われ、処理対象のコンテンツのコンテンツ関連情報をコンテンツ関連情報管理部２４が管理していることが確認されたとき、そのコンテンツ関連情報を送信することがディジタル放送受信端末２から要求される。
【００９４】
次に、図９のフローチャートを参照して、コンテンツ関連情報を検索し、取得するディジタル放送受信端末２の処理について説明する。
【００９５】
この処理は、例えば、処理対象のコンテンツが視聴者により選択されたときに行われる。視聴者によりコンテンツが選択されたとき、ディジタル放送受信端末２のタイトル情報作成部１３においては、ディジタル放送受信部１２から供給されたPSI／SIに基づいて、処理対象のコンテンツのタイトル、キーワードを含むタイトル情報が作成され、コンテンツ関連情報検索・取得部１４に出力される。
【００９６】
ステップＳ２１において、コンテンツ関連情報検索・取得部１４は、タイトル情報作成部１３から供給されたタイトル情報から、それに含まれるタイトルとキーワードをコンテンツ関連情報の検索に用いる情報として読み出す。
【００９７】
ステップＳ２２において、コンテンツ関連情報検索・取得部１４は、あらかじめ登録されているURLに基づいてコンテンツ関連情報提供サイト管理装置４が管理するコンテンツ関連情報提供サイトにアクセスし、コンテンツ関連情報リストを取得する。上述したように、ディジタル放送受信端末２からのアクセスが行われたとき、コンテンツ関連情報提供サイト管理装置４においてはディジタル放送受信端末２に対するコンテンツ関連情報リストの提供が行われる（図８のステップＳ１１）。
【００９８】
なお、コンテンツ関連情報を複数の装置から取得するようになされている場合、登録されている複数のURLに基づいてアクセスが行われ、それぞれの装置からコンテンツ関連情報リストが取得される。
【００９９】
ステップＳ２３において、コンテンツ関連情報検索・取得部１４は、コンテンツ関連情報リストを構成するリストアイテムのうちの１つのリストアイテムに注目し、そのリストアイテムに含まれるタイトルを読み出す。
【０１００】
ステップＳ２４において、コンテンツ関連情報検索・取得部１４は、タイトル情報から読み出したタイトルと、注目しているリストアイテムから読み出したタイトルが一致するか否かを判定する。
【０１０１】
コンテンツ関連情報検索・取得部１４は、ステップＳ２４において、タイトル情報から読み出したタイトルと、注目しているリストアイテムから読み出したタイトルが一致すると判定した場合、ステップＳ２５に進み、注目しているリストアイテムに含まれるURLを読み出す。ここで読み出されるURLは、処理対象のコンテンツのものとしてコンテンツ関連情報提供サイト管理装置４が管理しているコンテンツ関連情報の格納場所を表す。
【０１０２】
ステップＳ２６において、コンテンツ関連情報検索・取得部１４は、コンテンツ関連情報提供サイト管理装置４にアクセスし、リストアイテムから読み出したURLにより特定される格納場所に格納されているコンテンツ関連情報を取得する。
【０１０３】
一方、ステップＳ２４において、タイトル情報から読み出したタイトルと、注目しているリストアイテムから読み出したタイトルが一致しないと判定した場合、ステップＳ２７に進み、コンテンツ関連情報検索・取得部１４は、注目しているリストアイテムからキーワードを読み出す。
【０１０４】
ステップＳ２８において、コンテンツ関連情報検索・取得部１４は、タイトル情報から読み出したキーワードと、注目しているリストアイテムから読み出したキーワードが一致するか否かを判定する。
【０１０５】
コンテンツ関連情報検索・取得部１４は、ステップＳ２８において、タイトル情報から読み出したキーワードと、注目しているリストアイテムから読み出したキーワードが一致すると判定した場合、ステップＳ２５に進み、それ以降の処理を行う。すなわち、注目しているリストアイテムに含まれるURLにより特定される格納場所に格納されているコンテンツ関連情報をコンテンツ関連情報提供サイト管理装置４から取得することが行われる。
【０１０６】
タイトル情報から読み出されたキーワードと、注目したリストアイテムから読み出されたキーワードが複数ある場合、閾値となる所定の数以上のキーワードが一致すると判定されたときにコンテンツ関連情報を取得することが行われるようにしてもよい。
【０１０７】
一方、ステップＳ２８において、コンテンツ関連情報検索・取得部１４は、タイトル情報から読み出したキーワードと、注目しているリストアイテムから読み出したキーワードが一致しないと判定した場合、ステップＳ２９に進む。また、ステップＳ２６においてコンテンツ関連情報が取得されたときも同様に処理はステップＳ２９に進む。
【０１０８】
ステップＳ２９において、コンテンツ関連情報検索・取得部１４は、図５に示されるように番号順にリストアイテムが並んでいる場合には、いま注目しているリストアイテムの次の番号のリストアイテムを注目候補とする。
【０１０９】
ステップＳ３０において、コンテンツ関連情報検索・取得部１４は、まだ注目していないリストアイテムがあるか否かを判定する。コンテンツ関連情報検索・取得部１４は、ステップＳ３０において、まだ注目していないリストアイテムがあると判定した場合、次の番号のリストアイテムに注目してステップＳ２３以降の処理を繰り返し実行し、全てのリストアイテムに注目したことから、注目していないリストアイテムがないと判定した場合、処理を終了させる。
【０１１０】
以上の処理が行われることにより、処理対象のコンテンツの全てのコンテンツ関連情報がコンテンツ関連情報検索・取得部１４により取得される。
【０１１１】
以上においては、処理対象のコンテンツのコンテンツ関連情報を検索することがコンテンツのタイトルやキーワードに基づいて行われるものとしたが、タイトル情報にコンテンツのIDが含まれ、コンテンツ関連情報リストにもコンテンツのIDが記述されている場合にコンテンツのIDに基づいて検索が行われるといったように、コンテンツを識別することができる情報であれば、他の情報によってコンテンツ関連情報の検索が行われるようにすることも可能である。
【０１１２】
次に、図１０のフローチャートを参照して、コンテンツを表示するディジタル放送受信端末２の処理について説明する。
【０１１３】
この処理は、図９の処理が行われ、処理対象のコンテンツの全てのコンテンツ関連情報がコンテンツ関連情報検索・取得部１４により取得されたときに開始される。取得されたコンテンツ関連情報は、コンテンツ関連情報検索・取得部１４から出力制御部１５に出力される。
【０１１４】
ステップＳ４１において、出力制御部１５は、コンテンツ関連情報を構成するコンテンツ関連情報アイテムのうちの１つのコンテンツ関連情報アイテムに注目し、そのコンテンツ関連情報アイテムに含まれる「種類」を読み出す。ここで読み出された「種類」により、注目しているコンテンツ関連情報アイテムに基づく情報の出力に用いられるデータの種類が、HTMLファイル、テキストデータ、動画ファイル、音声ファイル、実行ファイルのうちのどのデータであるのかが特定される。
【０１１５】
ステップＳ４２において、出力制御部１５は、コンテンツ再生中の情報の出力に用いられるデータの種類がHTMLファイルであるか否かを判定し、HTMLファイルであると判定した場合、ステップＳ４３に進む。
【０１１６】
ステップＳ４３において、出力制御部１５は、コンテンツ再生中の情報の出力に用いられるデータの種類がHTMLファイルである場合の処理を行う。詳細については図１１のフローチャートを参照して後述するが、ここでは、コンテンツの再生中の所定のタイミングで、画面を表示することが可能なWebサイトがあることを表すアイコンがディスプレイに表示される。視聴者は、そのアイコンを選択することによって、コンテンツ関連情報作成者により指定されたWebサイトを閲覧することができる。
【０１１７】
ステップＳ４３の処理が行われているとき、それと並行して、処理対象のコンテンツの映像をディスプレイに表示し、音声をスピーカから出力させることも出力制御部１５により行われる。コンテンツ再生中の情報の出力に用いられるデータの種類が、後述するテキストデータ、動画ファイル、音声ファイル、実行ファイルである場合も同様に、それらのデータを用いた処理と並行して、処理対象のコンテンツの映像をディスプレイに表示し、音声をスピーカから出力させることが出力制御部１５により行われる。
【０１１８】
一方、ステップＳ４２において、出力制御部１５は、コンテンツ再生中の情報の出力に用いられるデータの種類がHTMLファイルではないと判定した場合、ステップＳ４４に進む。
【０１１９】
ステップＳ４４において、出力制御部１５は、コンテンツ再生中の情報の出力に用いられるデータの種類が動画ファイルであるか否かを判定し、動画ファイルであると判定した場合、ステップＳ４５に進む。
【０１２０】
ステップＳ４５において、出力制御部１５は、コンテンツ再生中の情報の出力に用いられるデータの種類が動画ファイルである場合の処理を行う。詳細については図１２のフローチャートを参照して後述するが、ここでは、コンテンツの再生中の所定のタイミングで、コンテンツ関連情報作成者により指定されたWebサイトから取得された動画ファイルの再生が行われ、その映像が表示される。
【０１２１】
ステップＳ４４において、出力制御部１５は、コンテンツ再生中の情報の出力に用いられるデータの種類が動画ファイルではないと判定した場合、ステップＳ４６に進む。
【０１２２】
ステップＳ４６において、出力制御部１５は、コンテンツ再生中の情報の出力に用いられるデータの種類が音声ファイルであるか否かを判定し、音声ファイルであると判定した場合、ステップＳ４７に進む。
【０１２３】
ステップＳ４７において、出力制御部１５は、コンテンツ再生中の情報の出力に用いられるデータの種類が音声ファイルである場合の処理を行う。詳細については図１３のフローチャートを参照して後述するが、ここでは、コンテンツの再生中の所定のタイミングで、コンテンツ関連情報作成者により指定されたWebサイトから取得された音声ファイルの再生が行われ、その音声が出力される。
【０１２４】
ステップＳ４６において、出力制御部１５は、コンテンツ再生中の情報の出力に用いられるデータの種類が音声ファイルではないと判定した場合、ステップＳ４８に進む。
【０１２５】
ステップＳ４８において、出力制御部１５は、コンテンツ再生中の情報の出力に用いられるデータの種類がテキストデータであるか否かを判定し、テキストデータであると判定した場合、ステップＳ４９に進む。
【０１２６】
ステップＳ４９において、出力制御部１５は、コンテンツ再生中の情報の出力に用いられるデータの種類がテキストデータである場合の処理を行う。詳細については図１４のフローチャートを参照して後述するが、ここでは、コンテンツの再生中の所定のタイミングで、いま注目されているコンテンツ関連情報アイテムに基づいてテキストの表示が行われる。
【０１２７】
ステップＳ４８において、出力制御部１５は、コンテンツ再生中の情報の出力に用いられるデータの種類がテキストデータではないと判定した場合、ステップＳ５０に進む。
【０１２８】
ステップＳ５０において、出力制御部１５は、コンテンツ再生中の情報の出力に用いられるデータの種類が実行ファイルであるか否かを判定し、実行ファイルであると判定した場合、ステップＳ５１に進む。
【０１２９】
ステップＳ５１において、出力制御部１５は、コンテンツ再生中の情報の出力に用いられるデータの種類が実行ファイルである場合の処理を行う。詳細については図１５のフローチャートを参照して後述するが、ここでは、コンテンツの再生中の所定のタイミングで、コンテンツ関連情報作成者により指定されたWebサイトからダウンロードされた実行ファイルが実行される。
【０１３０】
一方、ステップＳ５０において、出力制御部１５は、コンテンツ再生中の情報の出力に用いられるデータの種類が実行ファイルではないと判定した場合、ステップＳ５２に進む。
上述したステップＳ４３，Ｓ４５，Ｓ４７，Ｓ４９，Ｓ５１の処理が行われたときも同様に、処理はステップＳ５２に進む。
【０１３１】
ステップＳ５２において、出力制御部１５は、いま注目しているコンテンツ関連情報アイテムの次の番号のコンテンツ関連情報アイテムを注目候補とする。
【０１３２】
ステップＳ５３において、出力制御部１５は、まだ注目していないコンテンツ関連情報アイテムがあるか否かを判定する。
【０１３３】
出力制御部１５は、ステップＳ５３において、まだ注目していないコンテンツ関連情報アイテムがあると判定した場合、次の番号のコンテンツ関連情報アイテムに注目してステップＳ４１以降の処理を繰り返し実行し、全てのコンテンツ関連情報アイテムに注目したことから、注目していないコンテンツ関連情報アイテムがないと判定した場合、処理を終了させる。
【０１３４】
以上の処理が、コンテンツ関連情報提供サイト管理装置４から取得された全てのコンテンツ関連情報を対象として行われる。
【０１３５】
なお、コンテンツ関連情報提供サイト管理装置４から取得された全てのコンテンツ関連情報を対象として処理が行われるのではなく、視聴者により選択されたコンテンツ関連情報だけを対象として図１０の処理が行われるようにしてもよい。この場合、例えば、図１０を参照して説明した以上の処理が開始される前に、コンテンツ関連情報提供サイト管理装置４から取得されたコンテンツ関連情報の一覧が出力制御部１５により視聴者に提示され、一覧の中から選択されたコンテンツ関連情報を対象として処理が行われる。視聴者によるコンテンツ関連情報の選択は、操作部１６により受け付けられ、選択されたコンテンツ関連情報を表す情報が出力制御部１５に出力される。
【０１３６】
コンテンツ関連情報の一覧には、それぞれのコンテンツ関連情報の内容を表す文章が、リストアイテムに含まれる要約に基づいてコンテンツ関連情報の説明として表示されるようにしてもよい。
【０１３７】
また、コンテンツ関連情報の検索や取得、コンテンツ関連情報の一覧の表示、コンテンツ関連情報に基づく情報の出力が行われないようにするモードを視聴者が選択することができるようにしてもよい。
【０１３８】
次に、図１１のフローチャートを参照して、図１０のステップＳ４３において行われる、コンテンツ再生中の情報の出力に用いられるデータの種類がHTMLファイルである場合の処理について説明する。
【０１３９】
ステップＳ６１において、出力制御部１５は、注目しているコンテンツ関連情報アイテムから「表示時間」、「表示位置」、「表示サイズ」の情報を読み出す。
【０１４０】
また、出力制御部１５は、ステップＳ６２において、注目しているコンテンツ関連情報アイテムからマーク（アイコン）のデータを読み出す。コンテンツ再生中の情報の出力に用いられるデータの種類がHTMLファイルである場合、コンテンツ関連情報アイテムの「データ」にはアイコンのデータが記述されている。
【０１４１】
ステップＳ６３において、出力制御部１５は、「表示時間」、「表示位置」、「表示サイズ」によってコンテンツ関連情報作成者により指定されるタイミング、位置、大きさで、アイコンをディスプレイに表示させる。
【０１４２】
例えば、「表示時間」により、テレビジョン番組の放送開始から５分が経過したときに１分間だけ表示することが指定され、「表示位置」により、ディスプレイの右下方の位置に表示することが指定され、「表示サイズ」により、所定の大きさで表示することが指定されている場合、ステップＳ６２で読み出されたデータに基づいて、テレビジョン番組の放送の開始から５分が経過したタイミングで、１分間だけ、ディスプレイの右下方の位置に所定のサイズのアイコンが表示される。
【０１４３】
視聴者が視聴しているコンテンツのコンテンツ関連情報アイテムとして、Webサイトの画面を表示させるための複数のコンテンツ関連情報アイテムが用意されている場合、それぞれのコンテンツ関連情報アイテムの「表示時間」、「表示位置」、「表示サイズ」に従って、アイコンが複数回表示されたり、同じ画面に複数のアイコンが表示されたりすることになる。
【０１４４】
ステップＳ６４において、出力制御部１５は、操作部１６から供給される情報に基づいて、アイコンが選択され、Webサイトの画面を表示することが視聴者により要求されたか否かを判定し、Webサイトの画面を表示することが要求されたと判定するまで待機する。
【０１４５】
出力制御部１５は、ステップＳ６４において、Webサイトの画面を表示することが要求されたと判定した場合、ステップＳ６５に進み、注目しているコンテンツ関連情報アイテムからWebサイトのURLを読み出す。コンテンツ再生中の情報の出力に用いられるデータの種類がHTMLファイルである場合、コンテンツ関連情報アイテムの「データ」には所定のWebサイトのURLも記述される。
【０１４６】
ステップＳ６６において、出力制御部１５は、コンテンツ関連情報検索・取得部１４を制御するなどして、ステップＳ６５で読み出したURLに基づいてWebサイトにアクセスし、その画面を例えばコンテンツの映像に代えてディスプレイに表示する。その後、図１０のステップＳ４３に戻り、それ以降の処理が行われる。
【０１４７】
コンテンツの再生中にアイコンを選択することによってアクセスが行われるWebサイトは、例えば、視聴者が視聴しているコンテンツがサッカー中継である場合、コンテンツ関連情報作成者自身が作成し、開設するサッカーに関するWebサイトなどとされる。
【０１４８】
これにより、コンテンツ関連情報作成者は、自分が開設するWebサイトを、サッカー中継の視聴者に向けて紹介することができる。視聴者の側としても、自分が視聴しているサッカー中継に関する情報を、自らキーワードを入力して検索するなどの操作を行うことなく見ることができる。
【０１４９】
また、試合が中断するハーフタイムのときにアイコンが表示されるようにコンテンツ関連情報作成者が「表示時間」を指定することによって、試合が行われている最中に視聴者がWebサイトを表示させてしまうといったことを防止することができる。すなわち、適切なタイミングで、サッカー中継に関する情報を提示することができる。コンテンツ関連情報作成者は、番組情報を確認したりすることで、サッカー中継が開始されてからどのくらいの時間が経過したときにアイコンが表示されるようにコンテンツ関連情報において指定すればよいのかを決めることができる。
【０１５０】
次に、図１２のフローチャートを参照して、図１０のステップＳ４５において行われる、コンテンツ再生中の情報の出力に用いられるデータの種類が動画ファイルである場合の処理について説明する。
【０１５１】
ステップＳ７１において、出力制御部１５は、動画ファイルを自身が再生可能であるか否かを判定する。例えば、コンテンツ関連情報アイテムの「データ」として、動画ファイルのファイル形式や転送レートの情報などが記述されている場合、その情報に基づいて、動画ファイルを再生可能であるか否かが判定される。
【０１５２】
出力制御部１５は、ステップＳ７１において、動画ファイルを再生することができないと判定した場合、処理を終了させ、一方、再生可能であると判定した場合、ステップＳ７２に進む。
【０１５３】
ステップＳ７２において、出力制御部１５は、注目しているコンテンツ関連情報アイテムから「表示時間」、「表示位置」、「表示サイズ」の情報を読み出す。
【０１５４】
また、出力制御部１５は、ステップＳ７３において、注目しているコンテンツ関連情報アイテムから、ダウンロードにより、またはストリーミングにより動画ファイルを提供するWebサイトのURLを読み出す。コンテンツ再生中の情報の出力に用いられるデータの種類が動画ファイルである場合、コンテンツ関連情報アイテムの「データ」には、動画ファイルを提供するWebサイトのURLが記述されている。
【０１５５】
ステップＳ７４において、出力制御部１５は、コンテンツ関連情報検索・取得部１４を制御するなどして、ステップＳ７３で読み出したURLに基づいてWebサイトにアクセスし、そのWebサイトから動画ファイルを取得する。
【０１５６】
ステップＳ７５において、出力制御部１５は、取得した動画ファイルを再生し、「表示時間」、「表示位置」、「表示サイズ」によって指定されるタイミング、位置、大きさで、動画をディスプレイに表示させる。その後、図１０のステップＳ４５に戻り、それ以降の処理が行われる。
【０１５７】
例えば、「表示時間」により、テレビジョン番組の放送開始から５分が経過したときに１分間だけ表示することが指定され、「表示位置」により、ディスプレイの右下方の位置に表示することが指定され、「表示サイズ」により、所定の解像度で表示することが指定されている場合、ステップＳ７４で取得された動画ファイルに基づいて、テレビジョン番組の放送の開始から５分が経過したタイミングで、１分間だけ、ディスプレイの右下方の位置に所定の解像度の動画が表示される。
【０１５８】
次に、図１３のフローチャートを参照して、図１０のステップＳ４７において行われる、コンテンツ再生中の情報の出力に用いられるデータの種類が音声ファイルである場合の処理について説明する。
【０１５９】
この処理は、基本的に、コンテンツ再生中の情報の出力に用いられるデータの種類が動画ファイルである場合の図１２の処理と同様の処理である。すなわち、ステップＳ８１において、出力制御部１５は、音声ファイルを自身が再生可能であるか否かを判定する。例えば、コンテンツ関連情報アイテムの「データ」として、音声ファイルのファイル形式や転送レートの情報などが記述されている場合、その情報に基づいて、音声ファイルを再生可能であるか否かが判定される。
【０１６０】
出力制御部１５は、ステップＳ８１において、音声ファイルを再生することができないと判定した場合、処理を終了させ、一方、再生可能であると判定した場合、ステップＳ８２に進む。
【０１６１】
ステップＳ８２において、出力制御部１５は、注目しているコンテンツ関連情報アイテムから「表示時間」の情報を読み出す。データの種類が音声ファイルである場合、「表示時間」は、音声の出力開始時刻、終了時刻、出力期間などを表す。
【０１６２】
また、出力制御部１５は、ステップＳ８３において、注目しているコンテンツ関連情報アイテムから、ダウンロードにより、またはストリーミングにより音声ファイルを提供するWebサイトのURLを読み出す。コンテンツ再生中の情報の出力に用いられるデータの種類が音声ファイルである場合、そのコンテンツ関連情報アイテムの「データ」には、音声ファイルを提供するWebサイトのURLが記述されている。
【０１６３】
ステップＳ８４において、出力制御部１５は、コンテンツ関連情報検索・取得部１４を制御するなどして、ステップＳ８３で読み出したURLに基づいてWebサイトにアクセスし、そのWebサイトから音声ファイルを取得する。
【０１６４】
ステップＳ８５において、出力制御部１５は、取得した音声ファイルを再生し、「表示時間」によって指定されるタイミングで音声をスピーカから出力させる。その後、図１０のステップＳ４７に戻り、それ以降の処理が行われる。
【０１６５】
次に、図１４のフローチャートを参照して、図１０のステップＳ４９において行われる、コンテンツ再生中の情報の出力に用いられるデータの種類がテキストデータである場合の処理について説明する。
【０１６６】
ステップＳ９１において、出力制御部１５は、注目しているコンテンツ関連情報アイテムから「表示時間」、「表示位置」、「表示サイズ」の情報を読み出す。
【０１６７】
また、出力制御部１５は、ステップＳ９２において、注目しているコンテンツ関連情報アイテムからテキストデータを読み出す。データの種類がテキストデータである場合、コンテンツ関連情報アイテムの「データ」には、テキストの表示に用いられるテキストデータが記述されている。
【０１６８】
ステップＳ９３において、出力制御部１５は、ステップＳ９２で取得したテキストデータに基づいて、「表示時間」、「表示位置」、「表示サイズ」によって指定されるタイミング、位置、大きさでテキストをディスプレイに表示させる。その後、図１０のステップＳ４９に戻り、それ以降の処理が行われる。
【０１６９】
例えば、映画の字幕がコンテンツ関連情報として提供されている場合、そのコンテンツ関連情報を構成するそれぞれのコンテンツ関連情報アイテムに字幕として表示する文章が記述され、それぞれのコンテンツ関連情報アイテムに記述される「表示時間」、「表示位置」、「表示サイズ」に従って、それぞれの文章が順次表示される。
【０１７０】
次に、図１５のフローチャートを参照して、図１０のステップＳ５１において行われる、コンテンツ再生中の情報の出力に用いられるデータの種類が実行ファイルである場合の処理について説明する。
【０１７１】
ステップＳ１０１において、出力制御部１５は、実行ファイルを自身が実行可能であるか否かを判定する。例えば、コンテンツ関連情報アイテムの「データ」として、実行ファイルのファイル形式の情報などが記述されている場合、その情報に基づいて、実行ファイルを実行可能であるか否かが判定される。
【０１７２】
出力制御部１５は、ステップＳ１０１において、実行ファイルを実行することができないと判定した場合、処理を終了させ、一方、実行可能であると判定した場合、ステップＳ１０２に進む。
【０１７３】
ステップＳ１０２において、出力制御部１５は、注目しているコンテンツ関連情報アイテムから「表示時間」の情報を読み出す。データの種類が実行ファイルである場合、「表示時間」は、実行ファイルの実行時刻、実行ファイルの実行結果の表示または出力を開始する時刻、実行結果の表示または出力を終了する時刻、実行結果の表示または出力の期間などを表す。
【０１７４】
また、出力制御部１５は、ステップＳ１０３において、注目しているコンテンツ関連情報アイテムから、実行ファイルを提供するWebサイトのURLを読み出す。コンテンツ再生中の情報の出力に用いられるデータの種類が実行ファイルである場合、そのコンテンツ関連情報アイテムの「データ」には、実行ファイルを提供するWebサイトのURLが記述されている。
【０１７５】
ステップＳ１０４において、出力制御部１５は、コンテンツ関連情報検索・取得部１４を制御するなどして、ステップＳ１０３で読み出したURLに基づいてWebサイトにアクセスし、そのWebサイトから実行ファイルを取得する。
【０１７６】
ステップＳ１０５において、出力制御部１５は、取得した実行ファイルを「表示時間」によって指定されるタイミングで実行し、実行結果をディスプレイに表示させるなどの所定の処理を実行結果に基づいて行う。その後、図１０のステップＳ５１に戻り、それ以降の処理が行われる。
【０１７７】
以上の処理により、コンテンツ関連情報作成者は、あるコンテンツに関する情報をコンテンツの視聴者に利用させることができる。
【０１７８】
視聴者の側としても、処理対象のコンテンツを選択するだけでコンテンツ関連情報の検索を行わせることができる。
【０１７９】
また、このようなシステムにより、コンテンツの視聴の楽しみの幅を広げることが可能になるとともに、コンテンツ関連情報を作成するためのアプリケーションの提供者が、その提供を受けた、コンテンツ提供者以外のユーザから代金を受け取るといったようなビジネスモデルの構築も可能となる。
【０１８０】
図１６は、ディジタル放送受信端末の他の機能構成例を示すブロック図である。
【０１８１】
図１６に示されるディジタル放送受信端末５１は、テレビジョン番組を記録する機能を有している。ディジタル放送受信端末５１においては、ディジタル放送受信部６２、タイトル情報作成部６３、コンテンツ記録部６４、コンテンツ関連情報検索・取得部６５、出力制御部６６、および操作部６７が実現される。
【０１８２】
ディジタル放送受信部６２は、図２に示されるディジタル放送受信端末２のディジタル放送受信部１２と同様に、アンテナ６１から供給されるRF信号に対して所定の処理を施し、視聴者により例えば記録の対象として選択されたコンテンツをコンテンツ記録部６４に出力する。また、ディジタル放送受信部６２は、コンテンツのタイトル、IDなどを含むPSI／SIをタイトル情報作成部６３に出力する。
【０１８３】
タイトル情報作成部６３は、図２に示されるディジタル放送受信端末２のタイトル情報作成部１３と同様に、ディジタル放送受信部６２から供給されたPSI／SIに基づいてタイトル情報を作成し、作成したタイトル情報をコンテンツ記録部６４に出力する。
【０１８４】
コンテンツ記録部６４は、ディジタル放送受信部６２から供給されたコンテンツをハードディスクなどの蓄積デバイスに記録させる。
【０１８５】
また、コンテンツ記録部６４は、ディジタル放送受信部６２から供給されたコンテンツを記録させるとき、タイトル情報作成部６３から供給された、そのコンテンツのタイトルやキーワードを含むタイトル情報を、コンテンツと関連付けて蓄積デバイスに記録させる。コンテンツ記録部６４は、蓄積デバイスに記録させているコンテンツの再生が視聴者により指示される前に、タイトル情報をコンテンツ関連情報検索・取得部６５に出力し、コンテンツ関連情報の検索、取得を行わせる。コンテンツ関連情報検索・取得部６５からコンテンツ関連情報が供給されたとき、コンテンツ記録部６４は、供給されたコンテンツ関連情報を、コンテンツと関連付けてハードディスクなどに記録させる。
【０１８６】
コンテンツ記録部６４は、記録されたコンテンツの再生が視聴者により指示されたとき、再生が指示されたコンテンツと、そのコンテンツに関連付けて記録させているコンテンツ関連情報を蓄積デバイスから読み出して出力制御部６６に出力する。
【０１８７】
コンテンツ関連情報検索・取得部６５は、コンテンツ関連情報提供サイト管理装置４からコンテンツ関連情報リストを取得し、取得したコンテンツ関連情報リストと、コンテンツ記録部６４から供給されたタイトル情報に基づいて上述したようにしてコンテンツ関連情報の検索を行う。コンテンツ関連情報検索・取得部６５は、検索されたコンテンツ関連情報をコンテンツ関連情報提供サイト管理装置４から取得する。取得されたコンテンツ関連情報は、コンテンツ記録部６４に出力され、コンテンツの再生時に用いられる情報としてコンテンツに関連付けられて記録される。
【０１８８】
出力制御部６６は、コンテンツの再生が視聴者により指示されたときにコンテンツ記録部６４から供給されるコンテンツを再生し、映像をディスプレイに表示させ、音声をスピーカから出力させる。また、出力制御部６６は、コンテンツとともにコンテンツ記録部６４から供給されたコンテンツ関連情報に基づいて、上述したようにして、Webサイトの画面、動画などをディスプレイに表示させ、音声をスピーカから出力させる。
【０１８９】
操作部６７は、視聴者の操作を受け付け、操作の内容を表す情報を出力制御部６６に出力する。
【０１９０】
このように、放送されたコンテンツをリアルタイムで再生するときではなく、一度記録されたコンテンツを再生するときに、コンテンツ関連情報に基づく情報の出力が行われるようにすることも可能である。この場合、視聴者に提供されるコンテンツ関連情報は既に放送済みのコンテンツのものになるため、コンテンツ関連情報作成者は、内容の凝ったコンテンツ関連情報を作成したりすることが可能となる。
【０１９１】
図１７は、記録メディア再生端末７１の機能構成例を示すブロック図である。
【０１９２】
図１７に示される記録メディア再生端末７１は、DVD(Digital Versatile Disc)などに記録されたコンテンツを再生するときにそのコンテンツのコンテンツ関連情報を検索し、視聴者に提示する機能を有している。記録メディア再生端末７１においては、記録メディア読み出し部８２、タイトル情報抽出部８３、コンテンツ関連情報検索・取得部８４、出力制御部８５、および操作部８６が実現される。
【０１９３】
記録メディア読み出し部８２は、記録メディア８１に記録されている映画などのコンテンツを読み出し、読み出したコンテンツを出力制御部８５に出力する。また、記録メディア読み出し部８２は、コンテンツの属性情報を記録メディア８１から読み出し、それをタイトル情報抽出部８３に出力する。記録メディア８１には、それに記録されているコンテンツの属性情報としてコンテンツのタイトルなどの情報が記録されている。
【０１９４】
タイトル情報抽出部８３は、記録メディア読み出し部８２から供給された属性情報からコンテンツのタイトルを抽出し、抽出したタイトルをコンテンツ関連情報検索・取得部８４に出力する。
【０１９５】
コンテンツ関連情報検索・取得部８４は、コンテンツ関連情報提供サイト管理装置４から取得したコンテンツ関連情報リストと、タイトル情報抽出部８３から供給されたタイトルに基づいてコンテンツ関連情報の検索を行い、記録メディア８１から読み出され、再生対象とされているコンテンツのコンテンツ関連情報をコンテンツ関連情報提供サイト管理装置４から取得する。タイトル情報抽出部８３から供給されたタイトルと同じタイトルがリストアイテムに記述されるコンテンツ関連情報がコンテンツ関連情報検索・取得部８４により取得される。
【０１９６】
出力制御部８５は、記録メディア読み出し部８２から供給されたコンテンツを再生し、映像をディスプレイに表示させ、音声をスピーカから出力させる。また、出力制御部８５は、コンテンツ関連情報検索・取得部８４により取得され、供給されたコンテンツ関連情報に基づいて、上述したようにしてWebサイトの画面、動画などをディスプレイに表示させ、音声をスピーカから出力させる。
【０１９７】
操作部８６は、視聴者の操作を受け付け、操作の内容を表す情報を出力制御部８５に出力する。
【０１９８】
このように、DVDなどの記録メディアに記録されたコンテンツを再生するときに、コンテンツ関連情報に基づく情報の出力が行われるようにすることも可能である。
【０１９９】
また、インターネットを介して提供されるコンテンツを再生するときに、コンテンツ関連情報に基づく情報の出力が行われるようにしてもよい。
【０２００】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０２０１】
図１８は、一連の処理をプログラムにより実行するパーソナルコンピュータの構成の例を示すブロック図である。
【０２０２】
CPU(Central Processing Unit)１０１は、ROM(Read Only Memory)１０２、または記憶部１０８に記憶されているプログラムに従って各種の処理を実行する。RAM(Random Access Memory)１０３には、CPU１０１が実行するプログラムやデータなどが適宜記憶される。これらのCPU１０１、ROM１０２、およびRAM１０３は、バス１０４により相互に接続されている。
【０２０３】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０２０４】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【０２０５】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【０２０６】
コンピュータにインストールされ、コンピュータによって実行可能な状態とされるプログラムを格納するプログラム記録媒体は、図１８に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインターフェースである通信部１０９を介して、ローカルエリアネットワーク、インターネット、ディジタル衛星放送といった、有線または無線の通信媒体を利用して行われる。
【０２０７】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【０２０８】
また、本明細書において、システムとは、複数の装置により構成される装置全体を表すものである。
【図面の簡単な説明】
【０２０９】
【図１】コンテンツ関連情報の検索／取得／再生システムの構成例を示す図である。
【図２】ディジタル放送受信端末の機能構成例を示すブロック図である。
【図３】コンテンツ関連情報提供サイト管理装置の機能構成例を示すブロック図である。
【図４】コンテンツ関連情報リストとコンテンツ関連情報の関係を示す図である。
【図５】コンテンツ関連情報リストのデータ構造の例を示す図である。
【図６】コンテンツ関連情報のデータ構造の例を示す図である。
【図７】コンテンツ関連情報提供サイト管理装置のリスト作成処理について説明するフローチャートである。
【図８】コンテンツ関連情報提供サイト管理装置の提供処理について説明するフローチャートである。
【図９】ディジタル放送受信端末の検索／取得処理について説明するフローチャートである。
【図１０】ディジタル放送受信端末のコンテンツ表示処理について説明するフローチャートである。
【図１１】図１０のステップＳ４３において行われる処理について説明するフローチャートである。
【図１２】図１０のステップＳ４５において行われる処理について説明するフローチャートである。
【図１３】図１０のステップＳ４７において行われる処理について説明するフローチャートである。
【図１４】図１０のステップＳ４９において行われる処理について説明するフローチャートである。
【図１５】図１０のステップＳ５１において行われる処理について説明するフローチャートである。
【図１６】ディジタル放送受信端末の他の機能構成例を示すブロック図である。
【図１７】記録メディア再生端末の機能構成例を示すブロック図である。
【図１８】パーソナルコンピュータの構成例を示すブロック図である。
【符号の説明】
【０２１０】
１  コンテンツ提供装置，  ２  ディジタル放送受信端末，  ４  コンテンツ関連情報提供サイト管理装置，  ６  コンテンツ関連情報作成装置，  １２  ディジタル放送受信部，  １３  タイトル情報作成部，  １４  コンテンツ関連情報検索・取得部，  １５  出力制御部，  １６  操作部，  ２１  コンテンツ関連情報取得部，  ２２  リスト作成部，  ２３  リスト管理部，  ２４  コンテンツ関連情報管理部
【図１】
2007318196.tif 000003
【図２】
2007318196.tif 000004
【図３】
2007318196.tif 000005
【図４】
2007318196.tif 000006
【図５】
2007318196.tif 000007
【図６】
2007318196.tif 000008
【図７】
2007318196.tif 000009
【図８】
2007318196.tif 000010
【図９】
2007318196.tif 000011
【図１０】
2007318196.tif 000012
【図１１】
2007318196.tif 000013
【図１２】
2007318196.tif 000014
【図１３】
2007318196.tif 000015
【図１４】
2007318196.tif 000016
【図１５】
2007318196.tif 000017
【図１６】
2007318196.tif 000018
【図１７】
2007318196.tif 000019
【図１８】
2007318196.tif 000020
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
情報提供装置と再生装置を含む情報処理システムにおいて、
前記情報提供装置は、
コンテンツの再生を行う前記再生装置と、コンテンツの関連情報を作成する作成装置にネットワークを介して接続される装置であって、
前記作成装置により作成された関連情報を取得する取得手段と、
該取得した関連情報が関連するコンテンツの識別情報を含む、関連情報のリストを作成する作成手段と、
前記リストを前記再生装置に送信するとともに、前記リストに含まれる情報に基づいて行われる前記再生装置からの要求に応じて、所定のコンテンツの関連情報を前記再生装置に送信する送信手段と
を備え、
前記再生装置は、
前記情報提供装置とネットワークを介して接続される装置であって、
前記リストを前記情報提供装置から取得するとともに、前記リストに含まれる前記識別情報に基づいて、処理対象のコンテンツとして選択された所定のコンテンツの関連情報を、前記情報提供装置から取得する取得手段と、
前記所定のコンテンツの再生中、前記取得手段により取得された前記関連情報に含まれる情報に従って、所定の情報を出力する出力手段と
を備える情報処理システム。
【請求項２】
コンテンツの再生を行う再生装置と、コンテンツの関連情報を作成する作成装置にネットワークを介して接続される情報提供装置において、
前記作成装置により作成された関連情報を取得する取得手段と、
該取得した関連情報が関連するコンテンツの識別情報を含む、関連情報のリストを作成する作成手段と、
前記リストを前記再生装置に送信するとともに、前記リストに含まれる情報に基づいて行われる前記再生装置からの要求に応じて、所定のコンテンツの関連情報を前記再生装置に送信する送信手段と
を備える情報提供装置。
【請求項３】
コンテンツの再生を行う再生装置と、コンテンツの関連情報を作成する作成装置にネットワークを介して接続される情報提供装置の情報提供方法において、
前記作成装置により作成された関連情報を取得し、
取得した関連情報が関連するコンテンツの識別情報を含む、関連情報のリストを作成し、
作成した前記リストを前記再生装置に送信するとともに、前記リストに含まれる情報に基づいて行われる前記再生装置からの要求に応じて、所定のコンテンツの関連情報を前記再生装置に送信する
ステップを含む情報提供方法。
【請求項４】
コンテンツの再生を行う再生装置と、コンテンツの関連情報を作成する作成装置にネットワークを介して接続される情報提供装置の情報提供処理をコンピュータに実行させるプログラムにおいて、
前記作成装置により作成された関連情報を取得し、
取得した関連情報が関連するコンテンツの識別情報を含む、関連情報のリストを作成し、
作成した前記リストを前記再生装置に送信するとともに、前記リストに含まれる情報に基づいて行われる前記再生装置からの要求に応じて、所定のコンテンツの関連情報を前記再生装置に送信する
ステップを含むプログラム。
【請求項５】
コンテンツの関連情報を作成する作成装置から関連情報を取得し、取得した関連情報が関連するコンテンツの識別情報を含む、関連情報のリストを作成して管理する情報提供装置とネットワークを介して接続される再生装置において、
前記リストを前記情報提供装置から取得するとともに、前記リストに含まれる前記識別情報に基づいて、処理対象のコンテンツとして選択された所定のコンテンツの関連情報を、前記情報提供装置から取得する取得手段と、
前記所定のコンテンツの再生中、前記取得手段により取得された関連情報に含まれる情報に従って、所定の情報を出力する出力手段と
を備える再生装置。
【請求項６】
前記所定の情報の出力タイミングを指定する情報が前記取得手段により取得された関連情報に含まれている場合、
前記出力手段は、前記所定のコンテンツの再生中、前記指定される出力タイミングで、前記所定の情報を出力する
請求項５に記載の再生装置。
【請求項７】
前記出力手段は、前記取得手段により取得された関連情報の一覧を表示し、一覧の中からユーザにより選択された関連情報に含まれる情報に従って、前記所定の情報を出力する
請求項５に記載の再生装置。
【請求項８】
前記リストに関連情報の内容を表す要約がさらに含まれている場合、
前記出力手段は、前記取得手段により取得された関連情報の一覧に、それぞれの関連情報の要約を表示する
請求項７に記載の再生装置。
【請求項９】
前記取得手段は、前記作成装置から関連情報を取得する毎に、所定の間隔で周期的に、又はコンテンツの関連情報リストの内容に更新があることが通知されたときに、前記情報提供装置から前記リストを取得する
請求項５に記載の再生装置。
【請求項１０】
前記取得手段は、処理対象のコンテンツとして選択された所定のコンテンツの関連情報を、リストに含まれているコンテンツの関連情報の格納場所を表す情報に基づいて、前記情報提供装置から取得する
請求項５に記載の再生装置。
【請求項１１】
前記出力手段は、前記所定のコンテンツの再生中、前記取得手段により取得された関連情報に含まれる情報に従って、前記作成装置のユーザにより指定された所定の情報を出力する
請求項５に記載の再生装置。
【請求項１２】
前記取得手段は、処理対象のコンテンツとして選択された所定のコンテンツのタイトル又はコンテンツに含まれるキーワードが、前記リストのコンテンツと一致すると判断した場合、関連情報を前記情報提供装置から取得する
請求項５に記載の再生装置。
【請求項１３】
所望のコンテンツを記録するように制御する記録制御手段を更に備え、
前記取得手段は、記録する前記所望のコンテンツの関連情報を、前記情報提供装置から取得し、
前記出力手段は、前記取得手段で取得した前記所望のコンテンツの関連情報を、前記所望のコンテンツと関連付けて、前記記録制御手段に出力する
請求項５に記載の再生装置。
【請求項１４】
コンテンツの関連情報を作成する作成装置から関連情報を取得し、取得した関連情報が関連するコンテンツの識別情報を含む、関連情報のリストを作成して管理する情報提供装置とネットワークを介して接続される再生装置の情報処理方法において、
前記リストを前記情報提供装置から取得するとともに、前記リストに含まれる前記識別情報に基づいて、処理対象のコンテンツとして選択された所定のコンテンツの関連情報を、前記情報提供装置から取得し、
前記所定のコンテンツの再生中、取得した関連情報に含まれる情報に従って、所定の情報を出力する
ステップを含む情報処理方法。
【請求項１５】
コンテンツの関連情報を作成する作成装置から関連情報を取得し、取得した関連情報が関連するコンテンツの識別情報を含む、関連情報のリストを作成して管理する情報提供装置とネットワークを介して接続される再生装置の情報処理をコンピュータに実行させるプログラムにおいて、
前記リストを前記情報提供装置から取得するとともに、前記リストに含まれる前記識別情報に基づいて、処理対象のコンテンツとして選択された所定のコンテンツの関連情報を、前記情報提供装置から取得し、
前記所定のコンテンツの再生中、取得した関連情報に含まれる情報に従って、所定の情報を出力する
ステップを含むプログラム。
【手続補正２】
【補正対象書類名】明細書
【補正対象項目名】００１１
【補正方法】変更
【補正の内容】
【００１１】
本発明の第１の側面の情報処理システムは、情報提供装置と再生装置を含む情報処理システムにおいて、前記情報提供装置は、コンテンツの再生を行う前記再生装置と、コンテンツの関連情報を作成する作成装置にネットワークを介して接続される装置であって、前記作成装置により作成された関連情報を取得する取得手段と、該取得した関連情報が関連するコンテンツの識別情報を含む、関連情報のリストを作成する作成手段と、前記リストを前記再生装置に送信するとともに、前記リストに含まれる情報に基づいて行われる前記再生装置からの要求に応じて、所定のコンテンツの関連情報を前記再生装置に送信する送信手段とを備える。
【手続補正３】
【補正対象書類名】明細書
【補正対象項目名】００１２
【補正方法】変更
【補正の内容】
【００１２】
また、前記再生装置は、前記情報提供装置とネットワークを介して接続される装置であって、前記リストを前記情報提供装置から取得するとともに、前記リストに含まれる前記識別情報に基づいて、処理対象のコンテンツとして選択された所定のコンテンツの関連情報を、前記情報提供装置から取得する取得手段と、前記所定のコンテンツの再生中、前記取得手段により取得された前記関連情報に含まれる情報に従って、所定の情報を出力する出力手段とを備える。
【手続補正４】
【補正対象書類名】明細書
【補正対象項目名】００１３
【補正方法】変更
【補正の内容】
【００１３】
本発明の第２の側面の情報提供装置は、コンテンツの再生を行う再生装置と、コンテンツの関連情報を作成する作成装置にネットワークを介して接続される情報提供装置において、前記作成装置により作成された関連情報を取得する取得手段と、該取得した関連情報が関連するコンテンツの識別情報を含む、関連情報のリストを作成する作成手段と、前記リストを前記再生装置に送信するとともに、前記リストに含まれる情報に基づいて行われる前記再生装置からの要求に応じて、所定のコンテンツの関連情報を前記再生装置に送信する送信手段とを備える。
【手続補正５】
【補正対象書類名】明細書
【補正対象項目名】００１４
【補正方法】変更
【補正の内容】
【００１４】
本発明の第２の側面の情報提供方法またはプログラムは、作成装置により作成された関連情報を取得し、取得した関連情報が関連するコンテンツの識別情報を含む、関連情報のリストを作成し、作成した前記リストを再生装置に送信するとともに、前記リストに含まれる情報に基づいて行われる前記再生装置からの要求に応じて、所定のコンテンツの関連情報を前記再生装置に送信するステップを含む。
【手続補正６】
【補正対象書類名】明細書
【補正対象項目名】００１５
【補正方法】変更
【補正の内容】
【００１５】
本発明の第３の側面の再生装置は、コンテンツの関連情報を作成する作成装置から関連情報を取得し、取得した関連情報が関連するコンテンツの識別情報を含む、関連情報のリストを作成して管理する情報提供装置とネットワークを介して接続される再生装置において、前記リストを前記情報提供装置から取得するとともに、前記リストに含まれる前記識別情報に基づいて、処理対象のコンテンツとして選択された所定のコンテンツの関連情報を、前記情報提供装置から取得する取得手段と、前記所定のコンテンツの再生中、前記取得手段により取得された関連情報に含まれる情報に従って、所定の情報を出力する出力手段とを備える。
【手続補正７】
【補正対象書類名】明細書
【補正対象項目名】００１６
【補正方法】変更
【補正の内容】
【００１６】
前記所定の情報の出力タイミングを指定する情報が前記取得手段により取得された関連情報に含まれている場合、前記出力手段には、前記所定のコンテンツの再生中、前記指定される出力タイミングで、前記所定の情報を出力させることができる。
【手続補正８】
【補正対象書類名】明細書
【補正対象項目名】００１８
【補正方法】変更
【補正の内容】
【００１８】
前記リストに関連情報の内容を表す要約がさらに含まれている場合、前記出力手段には、前記取得手段により取得された関連情報の一覧に、それぞれの関連情報の要約を表示させることができる。
前記取得手段には、前記作成装置から関連情報を取得する毎に、所定の間隔で周期的に、又はコンテンツの関連情報リストの内容に更新があることが通知されたときに、前記情報提供装置から前記リストを取得させることができる。
前記取得手段には、処理対象のコンテンツとして選択された所定のコンテンツの関連情報を、リストに含まれているコンテンツの関連情報の格納場所を表す情報に基づいて、前記情報提供装置から取得させることができる。
前記出力手段には、前記所定のコンテンツの再生中、前記取得手段により取得された関連情報に含まれる情報に従って、前記作成装置のユーザにより指定された所定の情報を出力させることができる。
前記取得手段には、処理対象のコンテンツとして選択された所定のコンテンツのタイトル又はコンテンツに含まれるキーワードが、前記リストのコンテンツと一致すると判断した場合、関連情報を前記情報提供装置から取得させることができる。
所望のコンテンツを記録するように制御する記録制御手段を更に設けることができる。この場合、前記取得手段には、記録する前記所望のコンテンツの関連情報を、前記情報提供装置から取得させ、前記出力手段には、前記取得手段で取得した前記所望のコンテンツの関連情報を、前記所望のコンテンツと関連付けて、前記記録制御手段に出力させることができる。
【手続補正９】
【補正対象書類名】明細書
【補正対象項目名】００１９
【補正方法】変更
【補正の内容】
【００１９】
本発明の第３の側面の情報処理方法またはプログラムは、リストを情報提供装置から取得するとともに、前記リストに含まれる識別情報に基づいて、処理対象のコンテンツとして選択された所定のコンテンツの関連情報を、前記情報提供装置から取得し、前記所定のコンテンツの再生中、取得した関連情報に含まれる情報に従って、所定の情報を出力するステップを含む。
【手続補正１０】
【補正対象書類名】明細書
【補正対象項目名】００２０
【補正方法】変更
【補正の内容】
【００２０】
本発明の第１の側面の情報処理システムの情報提供装置においては、作成装置により作成された関連情報が取得され、該取得された関連情報が関連するコンテンツの識別情報を含む、関連情報のリストが作成される。また、前記リストが再生装置に送信されるとともに、前記リストに含まれる情報に基づいて行われる前記再生装置からの要求に応じて、所定のコンテンツの関連情報が前記再生装置に送信される。
【手続補正１１】
【補正対象書類名】明細書
【補正対象項目名】００２１
【補正方法】変更
【補正の内容】
【００２１】
一方、再生装置においては、前記リストが前記情報提供装置から取得されるとともに、前記リストに含まれる前記識別情報に基づいて、処理対象のコンテンツとして選択された所定のコンテンツの関連情報が、前記情報提供装置から取得される。また、前記所定のコンテンツの再生中、前記取得手段により取得された前記関連情報に含まれる情報に従って、所定の情報が出力される。
【手続補正１２】
【補正対象書類名】明細書
【補正対象項目名】００２２
【補正方法】変更
【補正の内容】
【００２２】
本発明の第２の側面においては、作成装置により作成された関連情報が取得され、取得された関連情報が関連するコンテンツの識別情報を含む、関連情報のリストが作成される。また、作成された前記リストが再生装置に送信されるとともに、前記リストに含まれる情報に基づいて行われる前記再生装置からの要求に応じて、所定のコンテンツの関連情報が前記再生装置に送信される。
【手続補正１３】
【補正対象書類名】明細書
【補正対象項目名】００２３
【補正方法】変更
【補正の内容】
【００２３】
本発明の第３の側面においては、リストが情報提供装置から取得されるとともに、前記リストに含まれる識別情報に基づいて、処理対象のコンテンツとして選択された所定のコンテンツの関連情報が、前記情報提供装置から取得される。また、前記所定のコンテンツの再生中、取得された関連情報に含まれる情報に従って、所定の情報が出力される。
【手続補正１４】
【補正対象書類名】明細書
【補正対象項目名】００２７
【補正方法】変更
【補正の内容】
【００２７】
本発明の第２の側面の情報提供装置（例えば、図１のコンテンツ関連情報提供サイト管理装置４）は、コンテンツの再生を行う再生装置（例えば、図１のディジタル放送受信端末２）と、コンテンツの関連情報を作成する作成装置（例えば、図１のコンテンツ関連情報作成装置６）にネットワークを介して接続される情報提供装置において、前記作成装置により作成された関連情報を取得する取得手段（例えば、図３のコンテンツ関連情報取得部２１）と、該取得した関連情報が関連するコンテンツの識別情報を含む、関連情報のリストを作成する作成手段（例えば、図３のリスト作成部２２）と、前記リストを前記再生装置に送信するとともに、前記リストに含まれる情報に基づいて行われる前記再生装置からの要求に応じて、所定のコンテンツの関連情報を前記再生装置に送信する送信手段（例えば、図３のリスト管理部２３）とを備える。
【手続補正１５】
【補正対象書類名】明細書
【補正対象項目名】００２８
【補正方法】変更
【補正の内容】
【００２８】
本発明の第２の側面の情報提供方法またはプログラムは、作成装置により作成された関連情報を取得し、取得した関連情報が関連するコンテンツの識別情報を含む、関連情報のリストを作成し、作成した前記リストを再生装置に送信するとともに、前記リストに含まれる情報に基づいて行われる前記再生装置からの要求に応じて、所定のコンテンツの関連情報を前記再生装置に送信するステップ（例えば、図８のステップＳ１２）を含む。
【手続補正１６】
【補正対象書類名】明細書
【補正対象項目名】００２９
【補正方法】変更
【補正の内容】
【００２９】
本発明の第３の側面の再生装置（例えば、図１のディジタル放送受信端末２）は、コンテンツの関連情報を作成する作成装置から関連情報を取得し、取得した関連情報が関連するコンテンツの識別情報を含む、関連情報のリストを作成して管理する情報提供装置（例えば、図１のコンテンツ関連情報提供サイト管理装置４）とネットワークを介して接続される再生装置において、前記リストを前記情報提供装置から取得するとともに、前記リストに含まれる前記識別情報に基づいて、処理対象のコンテンツとして選択された所定のコンテンツの関連情報を、前記情報提供装置から取得する取得手段（例えば、図２のコンテンツ関連情報検索・取得部１４）と、前記所定のコンテンツの再生中、前記取得手段により取得された関連情報に含まれる情報に従って、所定の情報を出力する出力手段（例えば、図２の出力制御部１５）とを備える。
【手続補正１７】
【補正対象書類名】明細書
【補正対象項目名】００３０
【補正方法】変更
【補正の内容】
【００３０】
本発明の第３の側面の情報処理方法またはプログラムは、リストを情報提供装置から取得するとともに、前記リストに含まれる識別情報に基づいて、処理対象のコンテンツとして選択された所定のコンテンツの関連情報を、前記情報提供装置から取得し、前記所定のコンテンツの再生中、取得した関連情報に含まれる情報に従って、所定の情報を出力するステップ（例えば、図１１のステップＳ６６）を含む。